(57)【要約】【課題】  操縦座席６と両駆動車輪３に対する走行ミッション機構１８とを備えた走行機体１に、これに設けたロータリーモア１０にて刈り取った芝草を排出ダクト１１を介して受け入れるグラスキャッチャー１３を、当該グラスキャッチャーにおける芝草受け入れ口が前記排出ダクトに一致する横向きの姿勢と、前記芝草受け入れ口が下向きになる下向き姿勢とに切り換え可能に装着して成る乗用型走行芝刈り機において、前記走行ミッション機構１８のうち両駆動車輪を自由に回転できるようにする動力伝達遮断機構２０を、操作できる状態と、操作できない状態とにすることが簡単な構成にてできるようにする。【解決手段】  前記動力伝達遮断機構に対する操作具２１ａを、前記横向き姿勢のグラスキャッチャー内のうち、当該グラスキャッチャーを下向き姿勢にしたとき前記操縦座席から操作できるような部位に位置する。【選択図】                        図１
2005192530.tif 000002
【特許請求の範囲】
【請求項１】
操縦座席を備えた走行機体に、エンジンと、左右両駆動車輪に対する走行ミッション機構と、前記エンジンにて駆動されるロータリーモアとを設けるとともに、前記ロータリーモアにて刈り取った芝草を排出ダクトを介して受け入れるグラスキャッチャーを、当該グラスキャッチャーにおける芝草受け入れ口が前記ダクトに一致する横向きの姿勢と、前記芝草受け入れ口が下向きになる下向き姿勢とに切り換え可能に装着して成り、前記走行ミッション機構に、前記エンジンから両駆動車輪への動力伝達を両駆動車輪が自由に回転できるように遮断する動力伝達遮断機構を設けて成る乗用型走行芝刈り機において、
前記動力伝達遮断機構に対する操作具を、前記横向き姿勢のグラスキャッチャー内のうち、当該グラスキャッチャーを下向き姿勢にしたとき前記操縦座席から操作できるような部位に位置することを特徴とする乗用型走行芝刈り機。
【請求項２】
前記請求項１の記載において、前記グラスキャッチャーが、前記操縦座席の後部に設けたことを特徴とする乗用型走行芝刈り機。
【発明の詳細な説明】
【技術分野】
【０００１】
本発明は、作業者が搭乗して操縦するようにした走行機体に、当該走行機体に搭載のエンジンにて駆動されるロータリーモアを装着して成る乗用型の走行芝刈り機に関するものである。
【背景技術】
【０００２】
先行技術としての特許文献１は、作業者が搭乗する操縦座席を備えた走行機体に、これに搭載したエンジンにて駆動されるロータリーモアを装着するとともに、このロータリーモアにて刈り取った芝草を受け入れるグラスキャッチャーを設けて成る乗用型の走行芝刈り機を提案している。
【０００３】
ところで、この種の乗用型走行芝刈り機においては、その走行機体を支持する車輪が溝又は泥濘等に落ち込んだ状態から脱出することを容易にするために、エンジンから左右両車輪への動力伝達を完全に遮断して、両車輪が自由に回転できるようにするための動力伝達遮断機構を設けることが必要である。
【０００４】
そして、前記先行技術の乗用型走行芝刈り機に前記した動力伝達遮断機構を設ける場合において、前記動力伝達遮断機構は、走行機体における操縦座席から操作することが必要であるため、この動力伝達遮断機構に対する操作具を、前記操縦座席の近傍に設けるという構成にしている。
【特許文献１】特開２０００−５０７１６号公報
【発明の開示】
【発明が解決しようとする課題】
【０００５】
しかし、前記動力伝達遮断機構に対する操作具を操縦座席の近傍に設けることは、作業者が、芝刈り作業中において、前記動力伝達遮断機構を誤って操作するおそれが大きいという問題がある。
【０００６】
この問題を解消するには、前記動力伝達遮断機構に対する操作具に、これを覆う開閉自在なカバーを設けて、このカバーを、開いてから操作できるように構成すれば良いが、このように構成することは、構造が複雑化するばがりか、前記操縦座席の近傍に、前記操作具を覆うカバーを設けるためのスペースを確保しなげればならないという問題を招来する。
【０００７】
本発明は、乗用型走行芝刈り機には、前記特許文献１に記載されているように、刈り取った芝草を受け入れるためのグラスキャッチャーが設けられていることに着目して、このグラスキャッチャーを利用して、前記した問題を解消することを技術的課題とするものである。
【課題を解決するための手段】
【０００８】
この技術的課題を達成するため本発明の請求項１は、
「操縦座席を備えた走行機体に、エンジンと、左右両駆動車輪に対する走行ミッション機構と、前記エンジンにて駆動されるロータリーモアとを設けるとともに、前記ロータリーモアにて刈り取った芝草を排出ダクトを介して受け入れるグラスキャッチャーを、当該グラスキャッチャーにおける芝草受け入れ口が前記ダクトに一致する横向きの姿勢と、前記芝草受け入れ口が下向きになる下向き姿勢とに切り換え可能に装着して成り、前記走行ミッション機構に、前記エンジンから両駆動車輪への動力伝達を両駆動車輪が自由に回転できるように遮断する動力伝達遮断機構を設けて成る乗用型走行芝刈り機において、
前記動力伝達遮断機構に対する操作具を、前記横向き姿勢のグラスキャッチャー内のうち、当該グラスキャッチャーを下向き姿勢にしたとき前記操縦座席から操作できるような部位に位置する。」
ことを特徴としている。
【０００９】
また、本発明の請求項２は、
「前記請求項１の記載において、前記グラスキャッチャーが、前記操縦座席の後部に設けた。」
ことを特徴としている。
【発明の効果】
【００１０】
前記請求項１に記載した構成において、芝刈り作業は、グラスキャッチャーを横向き姿勢にした状態で行うことにより、走行ミッション機構における動力伝達遮断機構に対する操作具は、前記グラスキャッチャー内の位置にあって、前記グラスキャッチャーにてカバーされているから、芝刈り作業中に、誤ってこれを操作することを確実に回避できる一方、前記動力伝達遮断機構に対する操作具は、前記グラスキャッチャーを横向き姿勢から下向き姿勢にすることにより、操縦座席から操作することができる状態になる。
【００１１】
従って、本発明によると、乗用型走行芝刈り機に設けられているグラスキャッチャーをを利用して、前記動力伝達遮断機構に対する操作具を操作できる状態と、操作できない状態とにすることができるから、構造を簡単できるとともに、操縦座席の付近に十分なスペースを確保できる。
【００１２】
特に、請求項２に記載した構成によると、作業者は、前記動力伝達遮断機構に対する操作具を操作するときには、後ろ向きにならなければならないから、誤って操作することをより確実に回避できる利点がある。
【発明を実施するための最良の形態】
【００１３】
以下、本発明の実施の形態を、図１及び図２の図面について説明する。
【００１４】
この図において、符号１は、前後方向に延びる左右一対のサイドフレーム１ａ，１ｂにて構成した走行機体を示し、この走行機体１は、左右一対の前車輪２と、同じく左右一対の後車輪３とで支持され、且つ、この走行機体１の前部上面には、エンジン４が搭載されているとともに、前記両前車輪２を同時に回動するように舵取りするための操縦ハンドル５が設けられ、また、前記走行機体１の後部上面には、作業者が座る操縦座席６が、後述する構造にて設けられている。
【００１５】
更にまた、前記走行機体１の上面には、前記両後車輪３の上部、当該走行機体１のうち前記操縦座席６における左右両側の部分及び後ろ側の部分並びに前側における足元部分をを覆うフェンダカバー体ー７が設けられ、このフェンダカバー体７には、前記エンジン４に対するボンネットカバー８が開閉可能に設けられている。
【００１６】
前記両後車輪３は、前記走行機体１における両サイドフレーム１ａ，１ｂの外側面に上下方向に延びるように固着した左右一対のブラケット部材９ａ，９ｂにおける下端の外側に装着されて一方、この両ブラケット部材９ａ，９ｂの上端間に、前記操縦座席６が取付けられている。
【００１７】
前記走行機体１における下面側で、且つ、前記両前車輪２と両後車輪３との間には、左右一対の回転式刈取り羽根１０ａを備えたロータリーモア１０が、左右一対の前部リンク１１と、後部リンク１２とにより上下動可能に装着され、且つ、前記操縦座席６の右側に配設した昇降レバー（図示せず）の回動によって、上下動するように構成されている。
【００１８】
また、前記走行機体１の下面のうち前記両後車輪３間には、前記ロータリーモア１０にて刈り取った芝草を後方に放出するようにした排出ダクト１１が設けられている。
【００１９】
更にまた、前記走行機体１における両サイドフレーム１ａ，１ｂの後端を、前記ダクト１１の後端より更に後方に突出して、これにグラスキャッチャー１３を回動自在にピン１４にて枢着することにより、当該グラスキャッチャー１３を、当該グラスキャッチャーにおける芝草受け入れ口が前記排出ダクト１１に一致する横向きの姿勢（図１に実線で示す状態）と、前記芝草受け入れ口が下向きになる下向き姿勢（図１に二点鎖線で示す状態）とに切り換え可能に構成する。なお、前記グラスキャッチャー１３における横向きの姿勢と下向き姿勢との切り換えは、前記操縦座席６の近傍に設けた操作レバー（図示せず）によって行うように構成している。
【００２０】
なお、前記グラスキャッチャー１３は、その左右両側面、底面及び後側面が塞がれ、且つ、その上面がカバー１３ａにて塞がれて、前面のみが芝草受け入れ口として開口するという構成になっている。
【００２１】
前記エンジン４における一方の出力軸４ａを、エンジン４から前向きに、他方の出力軸４ｂを、エンジン４から後ろ向きに各々突出し、前記前向きに突出する一方の出力軸４ａの回転を、前記走行機体１の前部に中間軸１４にベルト１５にて動力伝達し、この中間軸１４の回転を、前記ロータリーモア１０に、両端に自在軸継手を備えた伸縮式の動力伝達軸１６を介して動力伝達して、両刈取り羽根１０ａを、図２に点線矢印で示すように、互いに逆方向に回転することにより、地面における芝を刈取ったのち、刈り取った芝草を前記排出ダクト１１内を後方に放出するように構成する。
【００２２】
前記走行機体１のうち前記排出ダクト１１の上部で、且つ、前記操縦座席６の下部の部位に、前記エンジン４の回転を適宜変速して前記両後車輪３に伝達するするための走行ミッション機構１８を配設して、この走行ミッション機構１８に、前記エンジン４における後向きの他方の出力軸４ｂからの動力を、両端に自在軸継ぎ手を備えた伸縮式の動力伝達軸１９を介して入力するように構成している。
【００２３】
また、前記走行ミッション機構１８には、前記エンジン４から左右両後車輪３への動力伝達を完全に遮断して、両後車輪３が自由に回転できるようにするための動力伝達遮断機構２０を備えている。
【００２４】
そして、前記両サイドフレーム１ａ，１ｂ間で、且つ、前記排出ダクト１１の上面には、操作杆２１を、走行機体１における前後方向延びるように配設して、この操作杆２１の前端を、前記動力伝達遮断機構２０に連結する一方、前記操作杆２１の後端に、握り部２１ａを設けて、この握り部２１ａを、前記グラスキャッチャー１３内のうち、当該グラスキャッチャー１３を下向き姿勢にしたとき前記操縦座席６から手が届いてこれを操作できるような部位に位置する。
【００２５】
この構成において、前記ロータリーモア１０による芝刈り作業は、グラスキャッチャー１３を横向き姿勢にした状態で行うことにより、走行ミッション機構１８における動力伝達遮断機構２０に対する操作具であるところの握り部２１ａは、前記グラスキャッチャー１３内の位置にあって、前記グラスキャッチャー１３にてカバーされているから、芝刈り作業中に、誤ってこれを操作することを確実に回避できる一方、前記握り部２１ａは、前記グラスキャッチャー１３を横向き姿勢から下向き姿勢に回動操作することにより、操縦座席６から手が届くことになって、これを操作することができる状態になる。
【図面の簡単な説明】
【００２６】
【図１】本発明の実施の形態を示す側面図である。
【図２】図１の要部拡大平面図である。
【符号の説明】
【００２７】
１                      走行機体
２                      前車輪
３                      後車輪
４                      エンジン
６                      操縦座席
１０                    ロータリーモア
１１                    排出ダクト
１３                    グラスキャッチャー
１８                    走行ミッション機構
２０                    動力伝達遮断機構
２１ａ                  操作具としての握り部
【図１】
2005192530.tif 000003
【図２】
2005192530.tif 000004